(57)【要約】【課題】構造を可及的に簡素化して確実に罠の作動を生起して野生動物の捕獲効率を向上することができる野生動物用罠構造を提供せんとする。【解決手段】この発明は、地面に埋設する楕円形状で上方開放の外枠ケースと、外枠ケースの内部に嵌着自在で外枠ケースと略同形の踏み板ケースと、踏み板ケースの周面に取外し自在に囲繞した環状ワイヤーと、環状ワイヤーの基端部に形成し環状ワイヤーの締め込みのために形成した輪部と、環状ワイヤーの先端部を伸延して輪部に挿通した伸延ワイヤーと、伸延ワイヤーの中途部を把持し伸延ワイヤーを引っ張るように付勢するバネ機構とよりなる野生動物用罠構造を提供せんとする。【選択図】図１
2020005505.tif 000002
【特許請求の範囲】
【請求項１】
地面に埋設する楕円形状で上方開放の外枠ケースと、外枠ケースの内部に嵌着自在で外枠ケースと略同形の踏み板ケースと、踏み板ケースの周面に取外し自在に囲繞した環状ワイヤーと、環状ワイヤーの基端部に形成し環状ワイヤーの締め込みのために形成した輪部と、環状ワイヤーの先端部を伸延して輪部に挿通した伸延ワイヤーと、伸延ワイヤーの中途部を把持し伸延ワイヤーを引っ張るように付勢するバネ機構と、伸延ワイヤーの先端をバネ機構の一部に固定したワイヤー固定機構とよりなる野生動物用罠構造。
【請求項２】
踏み板ケース底部に立設し、取外された環状ワイヤーの上昇案内を行うためのガイド棒を設けたことを特徴とする請求項１に記載の野生動物用罠構造。
【請求項３】
輪部に挿通した伸延ワイヤーの締め込み大きさを規制するために環状ワイヤーの基端部近傍にワイヤーストッパを突設したことを特徴とする請求項１，２に記載の野生動物用罠構造。
【発明の詳細な説明】
【技術分野】
【０００１】
この発明は、野生動物用罠構造に関する。
【背景技術】
【０００２】
従来、野生動物用罠には種々の構造の物が開発されている。
もっとも典型的な構造は地上面の獣道に転落用の穴を掘削しておき、転落用の穴の上に偽装板を形成し、偽装板の上を歩行する際に野生動物の体重により偽装板と共に野生動物が落下する構造や予め環状ワイヤーを罠として地上に載置偽装し、所定の踏み板を野生動物が踏むことにより連動連結した罠が作動して野生動物の足を緊締捕獲する構造等がある（例えば、特許文献１）。
【先行技術文献】
【特許文献】
【０００３】
【特許文献１】特開２０１７−１６９５５４号公報
【発明の概要】
【発明が解決しようとする課題】
【０００４】
しかし、これらの野生動物の罠は構造が簡単であるだけで確実に作動しない不良品が多く、また反対に罠作動の連動構造を複雑にすればコスト的に不利であり、故障しやすく捕獲効率が良くないなどの欠点があった。
【０００５】
そこで、本発明では構造を可及的に簡素化して確実に罠の作動を生起して野生動物の捕獲効率を向上することができる野生動物用罠構造を提供せんとする。
【課題を解決するための手段】
【０００６】
本発明の第１の態様は、地面に埋設する楕円形状で上方開放の外枠ケースと、外枠ケースの内部に嵌着自在で外枠ケースと略同形の踏み板ケースと、踏み板ケースの周面に取外し自在に囲繞した環状ワイヤーと、環状ワイヤーの基端部に形成し環状ワイヤーの締め込みのために形成した輪部と、環状ワイヤーの先端部を伸延して輪部に挿通した伸延ワイヤーと、伸延ワイヤーの中途部を把持し伸延ワイヤーを引っ張るように付勢するバネ機構と、伸延ワイヤーの先端をバネ機構の一部に固定したワイヤー固定機構とよりなる野生動物用罠構造を提供せんとするものである。
【０００７】
また、本発明の第１の態様は、踏み板ケース底部に立設し、取外された環状ワイヤーの上昇案内を行うためのガイド棒を設けたことを特徴とする。
【０００８】
また、本発明の第１の態様は、輪部に挿通した伸延ワイヤーの締め込み大きさを規制するために環状ワイヤーの基端部近傍にワイヤーストッパを突設したことを特徴とする。
【発明の効果】
【０００９】
本発明の請求項１にかかる発明によれば、地面に埋設する楕円形状で上方開放の外枠ケースと、外枠ケースの内部に嵌着自在で外枠ケースと略同形の踏み板ケースと、踏み板ケースの周面に取外し自在に囲繞した環状ワイヤーと、環状ワイヤーの基端部に形成し環状ワイヤーの締め込みのために形成した輪部と、環状ワイヤーの先端部を伸延して輪部に挿通した伸延ワイヤーと、伸延ワイヤーの中途部を把持し伸延ワイヤーを引っ張るように付勢するバネ機構と、伸延ワイヤーの先端をバネ機構の一部に固定したワイヤー固定機構とより構成したことにより、野生動物が踏み板ケースを踏むと該ケースが野生動物の体重で降下しそれに伴い周面に囲繞した環状ワイヤーが踏み板ケースの規制から外れる。同時にバネ機構により輪部に挿通した伸延ワイヤーが強制的に斜め上方に引っ張られ環状ワイヤーは輪部で環状ワイヤーの締め込みがなされて踏み板ケースを踏んだ野生動物の脚は環状ワイヤーの締め込みによって捕縛されることになる。従って、野生動物が一定面積の踏み板ケースを踏むことで作動する環状ワイヤーにより確実に野生動物を捕縛することができ簡単な構造にもかかわらずワイヤーによる捕縛機能を果たすことができる効果がある。
【００１０】
本発明の請求項２にかかる発明によれば、踏み板ケース底部に立設し、取外された環状ワイヤーの上昇案内を行うためのガイド棒を設けたことにより、野生動物が踏み板ケースを踏むと踏み板ケース周面に囲繞した環状ワイヤーが踏み板ケースの規制から外れてバネ機構により輪部に挿通した伸延ワイヤーが強制的に引っ張られた際に、環状ワイヤーはガイド棒に沿って斜め上方に引き上げられながら輪部において環状ワイヤーの締め込みがなされて確実に野生動物の脚をワイヤーで捕縛できる効果がある。
【００１１】
本発明の請求項３にかかる発明によれば、輪部に挿通した伸延ワイヤーの締め込み大きさを規制するために環状ワイヤーの基端部近傍にワイヤーストッパを突設したことにより、バネ機構により輪部に挿通した伸延ワイヤーが強制的に引っ張られ輪部において環状ワイヤーの締め込みがなされても環状ワイヤーの基端部近傍に突設したワイヤーストッパが締め込みの途中で輪部に係止されることで、伸延ワイヤーは輪部からこれ以上引っ張られることはなく、その結果環状ワイヤーの大きさが規制され極端に環状ワイヤーの締め込み力が捕縛対象にかかることを回避している。従って、野生動物以外のペット等が誤って踏み板ケースを踏んでも環状ワイヤーの締め込みが規制されるためペット等を傷つける事故を回避することができる効果がある。
【図面の簡単な説明】
【００１２】
【図１】本発明の実施形態に係る野生動物用罠構造を示す斜視図である。
【図２】本発明の実施形態に係る野生動物用罠構造の図１のＡ−Ａ断面図である。
【図３】本発明の実施形態に係る野生動物用罠構造の使用状態を示す側面図である。
【図４】本発明の実施形態に係る野生動物用罠構造を示す側面図である。
【発明を実施するための形態】
【００１３】
この発明の要旨は、地上面に埋設する楕円形状で上方開放の外枠ケースと、外枠ケースの内部に嵌着自在で外枠ケースと略同形の踏み板ケースと、踏み板ケースの周面に取外し自在に囲繞した環状ワイヤーと、環状ワイヤーの基端部に形成し環状ワイヤーの締め込みのために形成した輪部と、環状ワイヤーの先端部を伸延して輪部に挿通した伸延ワイヤーと、伸延ワイヤーの中途部を把持し伸延ワイヤーを引っ張るように付勢するバネ機構と、伸延ワイヤーの先端をバネ機構の一部に固定したワイヤー固定機構とよりなる野生動物用罠構造であり、また、踏み板ケース底部に立設し、取外された環状ワイヤーの上昇案内を行うためのガイド棒を設けたことにあり、また、輪部に挿通した伸延ワイヤーの締め込み大きさを規制するために環状ワイヤーの基端部近傍にワイヤーストッパを突設したことにある。
【００１４】
この発明の実施例を図面に基づき詳細に説明する。図1は、本発明の野生動物用罠構造Ｗの要部説明図である。    
【００１５】
本発明の野生動物用罠構造Ｗは、図1に示すように、基本的に外枠ケース１０と踏み板ケース２０と環状ワイヤー３０と伸延ワイヤー４０とバネ機構５０とより構成されている。
【００１６】
外枠ケース１０は、図１に示すように、地面に埋設するように構成した楕円形状の弁当箱形状のケースであり、上方を開放してこのケースの内部に同じく楕円形状の弁当箱形状の踏み板ケース２０を嵌着しており、踏み板ケース２０は野生動物Ｖの体重や踏み込み応力によって外枠ケース１０内において沈下するように構成されている。
【００１７】
踏み板ケース２０の上縁部は、図２に示すように、外枠ケース１０の上縁部１１よりも一部上方に突出して突出縁部２１を構成しており、この突出縁部２１の周面には外枠ケース１０の上縁部１１に接する状態で環状ワイヤー３０が囲繞されている。
【００１８】
この環状ワイヤー３０は踏み板ケース２０に野生動物Ｖの体重や踏み込み応力がかかって外枠ケース１０内で沈下した場合に、図３に示すように、外枠ケース１０の上縁部１１によって相対的に押し上げられて環状ワイヤー３０が踏み板ケース２０の周面からスライド離脱するように構成している。
【００１９】
環状ワイヤー３０の基端部３１には、図１に示すように、先端部のワイヤーが挿通する大きさの径を有する輪部３２が形成されており、この輪部３２中に先端部のワイヤーを挿通することにより環状ワイヤー３０を形成し、輪部３２中を挿通した環状ワイヤー３０先端部のワイヤーはそのまま伸延して伸延ワイヤー４０となっており、伸延ワイヤー４０をバネ機構５０の作用で引っ張ることにより輪部３２において締め込み作用が生起され環状ワイヤー３０は縮小されて、図３に示すように、野生動物Ｖの脚を捕縛することができるように構成している。
【００２０】
かかる機能を果たす伸延ワイヤー４０は、図１に示すように、その中途部をバネ機構５０により把持している。
すなわち、バネ機構５０は１本のバネ鋼線を中途で巻き両端方向のバネ作用線を拡開方向に付勢してバネ機能を果たすように構成している。そして、バネ機構５０のバネ作用線の先端部をフック状に折曲形成し、このバネフック部５１に伸延ワイヤー４０の中途を係合していると共に、この係合部の下手側の伸延ワイヤー４０には係止ストッパ５２を固設しており、伸延ワイヤー４０は係止ストッパ５２を介してバネフック部５１と係合されていることになる。このように係止ストッパ５２は伸延ワイヤー４０の中途部をバネ機構５０の一部に固定するワイヤー固定機構５６としての機能を果たす。
なお、伸延ワイヤー４０は前述した通り係止ストッパ５２を介してバネフック部５１に係合されると共に、野生動物Ｖが踏み板ケース２０を踏んで環状ワイヤー３０が離脱され伸延ワイヤー４０がバネ機構５０で引っ張られた時には、バネフック部５１がバネ機構５０による上方への付勢力により跳ね上げられ、その作動に追従して伸延ワイヤー４０が上方に引っ張られる。
すなわち、環状ワイヤー３０に連続する伸延ワイヤー４０は、図１及び図４に示すように、係止ストッパ５２及び後述する外枠ケース１０の切欠き凹部１２を介してバネ機構５０に係止されていると共に、踏み板ケース２０の周面に囲繞された環状ワイヤー３０によってバネ機構５０の付勢機能を受けることなく罠セット状態を維持する。
しかし、一旦踏み板ケース２０に野生動物Ｖの体重分の荷重がかかり踏み板ケース２０が外枠ケース１０内に沈下すると環状ワイヤー３０は踏み板ケース２０から離脱してバネ機構５０の付勢機能を受けてバネフック部５１を介して伸延ワイヤー４０が強制的に上方に引っ張られ輪部３２において環状ワイヤー３０の締め込み作用を生起することになる。その結果、環状ワイヤー３０は縮小して野生動物Ｖの脚を捕縛することになる。
【００２１】
また、バネ機構５０の一方の固定線５５の先端部には、図１に示すように、フック状に折曲形成した固定フック部５４を形成し、伸延ワイヤー４０の中途に設けた係止ストッパ５２を介して伸延ワイヤー４０を固定フック部５４に係合することによりバネ機構５０の一部に連結している。そのため、野生動物Ｖが踏み板ケース２０を踏んで環状ワイヤー３０が捕縛機能を発揮したときにはこの伸延ワイヤー４０の中途の係止ストッパ５２と固定フック部５４で伸延ワイヤー４０の下手側が固定され、バネ機構５０によるバネフック部５１における伸延ワイヤー４０の上方への付勢力を助けて環状ワイヤー３０による野生動物Ｖの緊締捕縛を助ける。
なお、環状ワイヤー３０に連続する伸延ワイヤー４０は、図４に示すように、その先端部は野生動物用罠構造Ｗの近辺に植生する立ち木Ｔに固定して捕縛した野生動物Ｖの逃走を防止する。
また、図１に示すように、バネ機構５０の一方の固定線５５の中途には長方形のアンカー板５３を連設しており、アンカー板５３を地面に固定することでバネ機構５０を固定している。
【００２２】
図中、Ｂはアンカー板５３を地面に固定するための両端の杭Ｂを示す。
また、図１に示すように、踏み板ケース２０底部にはガイド棒２２を立設しており、踏み板ケース２０から離脱した環状ワイヤー３０がバネ機構５０を介して引張られる際に可及的にまっすぐ上方に上昇し野生動物Ｖの脚を正確に囲むように環状ワイヤー３０を案内する機能を果たす。なお、ガイド棒２２は線材で構成してもよい。
【００２３】
また、図１に示すように、輪部３２に挿通した伸延ワイヤー４０により環状ワイヤー３０の締め込み大きさを規制するために環状ワイヤー３０の基端部３１近傍にワイヤーストッパ３３を突設している。
すなわち、バネ機構５０により輪部３２に挿通した伸延ワイヤー４０が強制的に引っ張られ輪部３２において環状ワイヤー３０の締め込みがなされても環状ワイヤー３０の基端部３１近傍に突設したワイヤーストッパ３３が締め込みの途中で輪部３２に係止され、これ以上には伸延ワイヤー４０が輪部３２から引っ張られることはなく、その結果環状ワイヤー３０の大きさが規制され極端に環状ワイヤー３０の締め込み力が捕縛対象にかかることを回避している。従って、野生動物以外のペット等が誤って踏み板ケース２０を踏んでも極端な環状ワイヤー３０の締め込み力でペットなどを傷つける捕縛事故を回避するように構成している。
なお、図中１２は外枠ケース１０の周縁の一部を切り欠き凹部形状としたワイヤーストッパ３３を収納するための切欠き凹部１２を示す。
【００２４】
上述した実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００２５】
Ｗ  野生動物用罠構造
Ｂ  杭
Ｖ  野生動物
Ｔ  立ち木
１０  外枠ケース
１１  上縁部
１２  切欠き凹部
２０  踏み板ケース
２１  突起縁部
２２  ガイド棒
３０  環状ワイヤー
３１  基端部
３２  輪部
３３  ワイヤーストッパ
４０  伸延ワイヤー
５０  バネ機構
５１  バネフック部
５２  係止ストッパ
５３  アンカー板
５４  固定フック部
５５  固定線
５６  ワイヤー固定機構
【図１】
2020005505.tif 000003
【図２】
2020005505.tif 000004
【図３】
2020005505.tif 000005
【図４】
2020005505.tif 000006